(57)【要約】【課題】メニュー表示中における設定不能な項目の選択に対応した適切な情報を出力することが可能な表示制御装置を提供することである。【解決手段】表示制御装置は、選択検出手段と、出力手段とを備える。前記選択検出手段は、１以上の設定項目を含むメニュー上の設定不能な項目の選択を検出する。前記出力手段は、前記メニューを表示するためのメニュー表示情報を出力し、前記メニュー上の設定不能な項目の第１回目の選択検出に対応して、第１の案内を表示するための第１の案内表示情報を出力し、前記メニュー上の前記設定不能な項目の第２回目の選択検出に対応して、前記第１の案内表示情報と異なる第２の案内を表示するための第２の案内表示情報を出力する。【選択図】  図２
2013012077.tif 000002
【特許請求の範囲】
【請求項１】
１以上の設定項目を含むメニュー上の設定不能な項目の選択を検出する選択検出手段と、
前記メニューを表示するためのメニュー表示情報を出力し、前記メニュー上の設定不能な項目の第１回目の選択検出に対応して、第１の案内を表示するための第１の案内表示情報を出力し、前記メニュー上の前記設定不能な項目の第２回目の選択検出に対応して、前記第１の案内表示情報と異なる第２の案内を表示するための第２の案内表示情報を出力する出力手段と、
を備えた表示制御装置。
【請求項２】
前記出力制御手段は、前記第１回目の選択検出から所定時間内の前記第２回目の選択検出に対応して、前記第２の案内表示情報を出力する請求項１記載の表示制御装置。
【請求項３】
前記出力制御手段は、前記第１回目の選択検出に対応して、設定不能案内を含む前記第１の案内を表示するための前記第１の案内表示情報を出力し、前記第２回目の選択検出に対応して、設定不能理由を含む前記第２の案内を表示するための前記第２の案内表示情報を出力する請求項１又は２記載の表示制御装置。
【請求項４】
前記出力制御手段は、前記第１回目の選択検出に対応して、第１の詳細レベルの設定不能案内を含む前記第１の案内を表示するための前記第１の案内表示情報を出力し、前記第２回目の選択検出に対応して、前記第１の詳細レベルより詳しい第２の詳細レベルの設定不能案内を含む前記第２の案内を表示するための前記第２の案内表示情報を出力する請求項１乃至３の何れか１項記載の表示制御装置。
【請求項５】
前記出力制御手段は、前記第１回目の選択検出に対応して、設定不能案内を含む前記第１の案内を表示するための前記第１の案内表示情報を出力し、前記第２回目の選択検出に対応して、選択不能解消のための操作手順を含む前記第２の案内を表示するための前記第２の案内表示情報を出力する請求項１乃至４の何れか１項記載の表示制御装置。
【請求項６】
前記第１の案内表示情報の出力に対応して前記第１の案内を表示し、前記第２の案内表示情報の出力に対応して前記第２の案内を表示する表示手段を備えた請求項１乃至５の何れか１項記載の表示制御装置。
【請求項７】
１以上の設定項目を含むメニューを表示するためのメニュー表示情報を出力し、
前記メニュー上の設定不能な項目の選択を検出し、
前記メニュー上の設定不能な項目の第１回目の選択検出に対応して、第１の案内を表示するための第１の案内表示情報を出力し、
前記メニュー上の前記設定不能な項目の第２回目の選択検出に対応して、前記第１の案内表示情報と異なる第２の案内を表示するための第２の案内表示情報を出力する表示制御方法。
【発明の詳細な説明】
【技術分野】
【０００１】
本発明の実施形態は、表示制御装置及び表示制御方法に関する。
【背景技術】
【０００２】
近年、デジタルＴＶの普及が目覚ましい。ユーザは、デジタルＴＶに対して様々な動作条件を設定することができる。例えば、ユーザがデジタルＴＶに対して設定メニューの起動を指示すると、デジタルＴＶはこの指示を受けて設定メニューを表示する。さらに、ユーザは、設定メニュー上の項目を選択し、選択項目に対応した動作条件を設定することができる。
【０００３】
また、デジタルＴＶは、一部の動作条件設定により、他の一部の動作条件設定を受け付けないことがある。このようなケースでは、デジタルＴＶは、設定メニュー上における動作設定受け付け不能な項目を選択不能表示する。例えば、デジタルＴＶは、設定メニュー上における動作設定受け付け不能な項目の輝度を、動作設定受け付け可能な項目の輝度よりも低くする。
【０００４】
このような表示により、ユーザは、設定メニュー上における動作設定受け付け不能な項目と、動作設定受け付け可能な項目とを区別することはできるが、なぜ動作設定受け付け不能なのか理解できない。
【０００５】
例えば、ヘルプ機能により、操作方法等を案内する技術が知られているが、ヘルプ機能を起動し、情報入力等の作業が必要であり、面倒である。
【先行技術文献】
【特許文献】
【０００６】
【特許文献１】特開平１１−７３２６４号公報
【発明の概要】
【発明が解決しようとする課題】
【０００７】
メニュー表示中における設定不能な項目の選択に対応した適切な情報を出力することが可能な表示制御装置及び表示制御方法を提供することである。
【課題を解決するための手段】
【０００８】
実施形態の表示制御装置は、選択検出手段と、出力手段とを備える。前記選択検出手段は、１以上の設定項目を含むメニュー上の設定不能な項目の選択を検出する。前記出力手段は、前記メニューを表示するためのメニュー表示情報を出力し、前記メニュー上の設定不能な項目の第１回目の選択検出に対応して、第１の案内を表示するための第１の案内表示情報を出力し、前記メニュー上の前記設定不能な項目の第２回目の選択検出に対応して、前記第１の案内表示情報と異なる第２の案内を表示するための第２の案内表示情報を出力する。
【図面の簡単な説明】
【０００９】
【図１】各実施形態に係るテレビジョン放送受信装置（表示制御装置）の構成の一例を示す図である。
【図２】第１の実施形態に係る映像メニューの表示中における各種案内の表示遷移の一例を示す図である。
【図３】第２の実施形態に係る表示遷移の一例を示す図である。
【図４】第３の実施形態に係る表示遷移の一例を示すフローチャートである。
【図５】第４の実施形態に係る表示遷移の一例を示すフローチャートである。
【図６】第５の実施形態に係る表示遷移の一例を示すフローチャートである。
【発明を実施するための形態】
【００１０】
以下、各実施形態について図面を参照して説明する。
【００１１】
図１は、各実施形態に係るテレビジョン放送受信装置の構成の一例を示す図である。各実施形態では、表示制御装置の一例としてディスプレイ１１４を備えたテレビジョン放送受信装置１１１について説明するが、表示制御装置は、ディスプレイ１１４を構成要件から除外してもよい。例えば、各実施形態で説明する表示制御装置が、ＤＶＤ記録再生装置、ＢＤ記録再生装置、又はＨＤＤ記録再生装置等の映像処理装置である場合には、表示制御装置は、ディスプレイ１１４を構成要件として含まない。
【００１２】
例えば、テレビジョン放送受信装置１１１は、ディスプレイ１１４、スピーカ１１５、操作モジュール１１６、受光モジュール１１８、ＨＤＤ１２０、放送信号入力端子２４４，２５０、出力端子２５９、２６０、チューナ２４５，２５１、ＰＳＫ（Phase Shift Keying）復調器２４６、ＯＦＤＭ（Orthogonal Frequency Division Multiplexing）復調器２５２、ＴＳ（Transport Stream)復号器２４７，２５３、信号処理モジュール２４８、音声処理モジュール２５５、映像処理モジュール２５４、制御モジュール２６１、入出力端子２６２等を備える。なお、放送信号入力端子２４４，２５０は、放送信号（映像信号含む）を入力する端子である。また、入出力端子２６２は、外部接続機器（ＨＤＤ、ＤＶＤプレイヤー、ネットワーク上のサーバ）１２１からの外部信号（映像信号含む）を入力する端子である。
【００１３】
制御モジュール２６１は、ＲＯＭ２６１ａ、ＲＡＭ２６１ｂ、不揮発性メモリ２６１ｃ、入力検出モジュール２６１ｅを備える。入力検出モジュール２６１ｅは、操作モジュール１１６又はリモートコントローラ１１７を介した入力（選択操作等）を検出する。制御モジュール２６１は、入力検出に応じた各種動作を制御する。例えば、制御モジュール２６１は、入力検出に応じた表示情報の出力を制御する。映像処理モジュール２５４は、表示情報に基づく映像を生成し、ディスプレイ１１４へ出力する。ディスプレイ１１４は、表示情報に基づく映像を表示する。
【００１４】
例えば、ユーザが、操作モジュール１１６又はリモートコントローラ１１７を介して、設定メニューの表示を指示すると、入力検出モジュール２６１ｅは、設定メニューの表示の指示を検出し、制御モジュール２６１は、設定メニューの表示を指示する。これに対応して、映像処理モジュール２５４は、設定メニューの表示情報に基づく映像を生成し、ディスプレイ１１４へ出力する。ディスプレイ１１４は、設定メニューの表示情報に基づく映像（設定メニュー）を表示する。
【００１５】
（第１の実施形態）
図２は、映像メニューの表示中における各種案内の表示遷移の一例を示す図である。
【００１６】
例えば、ユーザが、操作モジュール１１６又はリモートコントローラ１１７を介して、設定メニューから映像メニューの表示を指示すると、つまり、ユーザが、操作モジュール１１６又はリモートコントローラ１１７を介して、設定メニューの中の映像メニューの項目にカーソルを合わせて選択を指示すると、入力検出モジュール２６１ｅは、映像メニューの表示の指示を検出する（映像メニューの項目の選択を検出する）。これに対応して、制御モジュール２６１は、映像メニューの表示（起動）を指示し、映像処理モジュール２５４は、映像メニューの表示情報に基づく映像を生成し、ディスプレイ１１４へ出力する。ディスプレイ１１４は、映像メニューの表示情報に基づく映像（映像メニュー）を表示する（ＳＴ１０１）。
【００１７】
図２に示すように、映像メニューは、映像調整の項目、画面調整の項目、色空間の項目、ヒストグラム表示の項目を含む。例えば、ディスプレイ１１４は、設定可能な映像調整の項目、画面調整の項目、及びヒストグラム表示の項目を第１の表示形式（第１の輝度）で表示し、設定不能な色空間の項目を第２の表示形式（第１の輝度より低い第２の輝度）で表示する。
【００１８】
例えば、ユーザが、操作モジュール１１６又はリモートコントローラ１１７を介して、設定不能な色空間の項目を選択すると、つまり、ユーザが、操作モジュール１１６又はリモートコントローラ１１７を介して、設定不能な色空間の項目にカーソルを合わせて選択を指示すると（ＳＴ１０２）、入力検出モジュール２６１ｅは、設定不能な色空間の項目の選択を検出する（第１回目の設定不能な色空間の項目の選択を検出する）。これに対応して、制御モジュール２６１は、第１の案内の表示を指示し、映像処理モジュール２５４は、第１の案内を表示するための第１の案内表示情報に基づく映像を生成し、ディスプレイ１１４へ出力する。ディスプレイ１１４は、第１の案内表示情報に基づく映像（第１の案内）を表示する。例えば、ディスプレイ１１４は、映像メニュー上に、「操作できません」等の設定不能案内を含む第１の案内を表示する（ＳＴ１０３）。
【００１９】
さらに、ユーザが、操作モジュール１１６又はリモートコントローラ１１７を介して、設定不能な色空間の項目を再度選択すると、つまり、ユーザが、操作モジュール１１６又はリモートコントローラ１１７を介して、設定不能な色空間の項目にカーソルを合わせて再度選択を指示すると、或いは、ユーザが、操作モジュール１１６又はリモートコントローラ１１７を介して、設定不能な色空間の項目にカーソルが位置した状態で再度選択を指示すると、入力検出モジュール２６１ｅは、設定不能な色空間の項目の再選択を検出する（第２回目の設定不能な色空間の項目の選択を検出する）。これに対応して、制御モジュール２６１は、第２の案内の表示を指示し、映像処理モジュール２５４は、第２の案内を表示するための第２の案内表示情報に基づく映像を生成し、ディスプレイ１１４へ出力する。ディスプレイ１１４は、第２の案内表示情報に基づく映像（第２の案内）を表示する。例えば、ディスプレイ１１４は、映像メニュー上に、「＊＊＊設定になっている為です。理由を表示しますか？「はい」／「いいえ」」等の設定不能状況説明を含む第２の案内を表示する（ＳＴ１０４）。
【００２０】
又は、ユーザが、第１回目の設定不能な色空間の項目の選択から所定時間内に、操作モジュール１１６又はリモートコントローラ１１７を介して、設定不能な色空間の項目を再度選択すると、つまり、ユーザが、操作モジュール１１６又はリモートコントローラ１１７を介して、第１回目の設定不能な色空間の項目の選択から所定時間内に、設定不能な色空間の項目にカーソルを合わせて再度選択（連続選択）を指示すると、或いは、ユーザが、第１回目の設定不能な色空間の項目の選択から所定時間内に、操作モジュール１１６又はリモートコントローラ１１７を介して、設定不能な色空間の項目にカーソルが位置した状態で再度選択を指示すると、入力検出モジュール２６１ｅは、設定不能な色空間の項目の所定時間内の再選択を検出する（所定時間内の第２回目の設定不能な色空間の項目の選択を検出する）。これに対応して、制御モジュール２６１は、第２の案内の表示を指示し、映像処理モジュール２５４は、第２の案内を表示するための第２の案内表示情報に基づく映像を生成し、ディスプレイ１１４へ出力する。ディスプレイ１１４は、第２の案内表示情報に基づく映像（第２の案内）を表示する。例えば、ディスプレイ１１４は、映像メニュー上に、「＊＊＊設定になっている為です。理由を表示しますか？「はい」／「いいえ」」等の設定不能状況説明を含む第２の案内を表示する（ＳＴ１０４）。
【００２１】
さらに、ユーザが、操作モジュール１１６又はリモートコントローラ１１７を介して、第２の案内に含まれる「はい」を選択すると、入力検出モジュール２６１ｅは、この選択を検出する。これに対応して、制御モジュール２６１は、第３の案内の表示を指示し、映像処理モジュール２５４は、第３の案内を表示するための第３の案内表示情報に基づく映像を生成し、ディスプレイ１１４へ出力する。ディスプレイ１１４は、第３の案内表示情報に基づく映像（第３の案内）を表示する。例えば、ディスプレイ１１４は、映像メニュー上に、「設定不能な理由は＊＊＊です」等の設定不能理由を含む第３の案内を表示する。
【００２２】
或いは、ディスプレイ１１４は、上記第２の案内に替えて、第４の案内を表示することもできる（ＳＴ１０５）。つまり、ディスプレイは、上記第１の案内の次に第４の案内を表示することもできる。
【００２３】
例えば、入力検出モジュール２６１ｅが、設定不能な色空間の項目の再選択を検出すると（第２回目の設定不能な色空間の項目の選択を検出すると）、これに対応して、制御モジュール２６１は、第４の案内及び設定変更メニューの表示を指示し、映像処理モジュール２５４は、第４の案内を表示するための第４の案内表示情報及び設定変更メニューを表示するための設定変更メニュー表示情報に基づく映像を生成し、ディスプレイ１１４へ出力する。ディスプレイ１１４は、第４の案内表示情報及び設定変更メニュー表示情報に基づく映像（第４の案内及び設定変更メニュー）を表示する。例えば、ディスプレイ１１４は、設定変更メニュー上に、「切換可能にする為の設定項目に遷移しました。「オン」を選ぶと「色空間」が設定可能になります」等の選択不能解消のための操作手順を含む第４の案内を表示する（ＳＴ１０５）。
【００２４】
又は、入力検出モジュール２６１ｅが、設定不能な色空間の項目の所定時間内の再選択を検出すると（所定時間内の第２回目の設定不能な色空間の項目の選択を検出すると）、これに対応して、制御モジュール２６１は、第４の案内及び設定変更メニューの表示を指示し、映像処理モジュール２５４は、第４の案内を表示するための第４の案内表示情報及び設定変更メニューを表示するための設定変更メニュー表示情報に基づく映像を生成し、ディスプレイ１１４へ出力する。ディスプレイ１１４は、第４の案内表示情報及び設定変更メニュー表示情報に基づく映像（第４の案内及び設定変更メニュー）を表示する。例えば、ディスプレイ１１４は、設定変更メニュー上に、「切換可能にする為の設定項目に遷移しました。「オン」を選ぶと「色空間」が設定可能になります」等の選択不能解消のための操作手順を含む第４の案内を表示する（ＳＴ１０５）。
【００２５】
或いは、ディスプレイ１１４は、上記説明した操作に応じて、上記第１、第２、第３、及び第４の案内の順に表示を切り換えることもできるし、上記第１、第３の案内の順に表示を切り換えることもできるし、上記第１、第４の案内の順に表示を切り換えることもできる。
【００２６】
上記したように、テレビジョン放送受信装置は、複数回の同一操作（設定不能な色空間の項目の選択）により、ａ回目の操作（例えば１回目の操作）に対応して第１の案内を出力（表示）し、ｂ回目の操作（例えば２回目の操作）に対応して第２の案内を出力（表示）し、ｃ回目の操作（例えば３回目の操作）に対応して第３の案内を出力（表示）し、ｄ回目の操作（例えば４回目の操作）に対応して第４の案内及び設定変更メニューを出力（表示）することができる。
【００２７】
又は、テレビジョン放送受信装置は、所定時間内の複数回の同一操作（設定不能な色空間の項目の選択）により（連打等の操作により）、ａ回目の操作（例えば１回目の操作）に対応して第１の案内を出力（表示）し、ｂ回目の操作（例えば２回目の操作）に対応して第２の案内を出力（表示）し、ｃ回目の操作（例えば３回目の操作）に対応して第３の案内を出力（表示）し、ｄ回目の操作（例えば４回目の操作）に対応して第４の案内及び設定変更メニューを出力（表示）することができる。
【００２８】
（第２の実施形態）
以下、図３を参照して、第２の実施形態について説明する。
【００２９】
例えば、ユーザが、操作モジュール１１６又はリモートコントローラ１１７を介して、設定不能な項目を選択した場合に、テレビジョン放送受信装置は、図３に示すような第１の選択形式の案内を出力（表示）する（ＳＴ２０１）。
【００３０】
さらに、ユーザが、第１の選択形式の案内の中から次の案内表示を要求する項目を選択した場合には、テレビジョン放送受信装置は、図３に示すような第２の選択形式の案内を出力（表示）する（ＳＴ２０２）。
【００３１】
さらに、ユーザが、第２の選択形式の案内の中から次の案内表示を要求する項目を選択した場合には、テレビジョン放送受信装置は、図３に示すような第３の選択形式の案内を出力（表示）する（ＳＴ２０３）。
【００３２】
さらに、ユーザが、第３の選択形式の案内の中から次の案内表示を要求する項目を選択した場合には、テレビジョン放送受信装置は、図３に示すような第４の案内を出力（表示）する（ＳＴ２０４）。
【００３３】
（第３の実施形態）
以下、図４を参照して、第３の実施形態について説明する。
【００３４】
例えば、ユーザが、操作モジュール１１６又はリモートコントローラ１１７を介して、設定メニューの表示を指示（「設定」を押下）すると、入力検出モジュール２６１ｅは、設定メニューの表示の指示を検出する。これに対応して、制御モジュール２６１は、設定メニューの表示（起動）を指示し、映像処理モジュール２５４は、設定メニューの表示情報に基づく映像を生成し、ディスプレイ１１４へ出力する。ディスプレイ１１４は、設定メニューの表示情報に基づく映像（設定メニュー）を表示する（ＳＴ３０１）。
【００３５】
例えば、ユーザが、操作モジュール１１６又はリモートコントローラ１１７を介して、第１の設定不能（切換不能）な項目を選択すると(ＳＴ３０２)、つまり、ユーザが、操作モジュール１１６又はリモートコントローラ１１７を介して、第１の設定不能な項目にカーソルを合わせると（ＳＴ３０２）、入力検出モジュール２６１ｅは、第１の設定不能な項目の選択を検出する（第１回目の第１の設定不能な項目の選択を検出する）。
【００３６】
さらに、ユーザが、操作モジュール１１６又はリモートコントローラ１１７を介して、第１の設定不能（切換不能）な項目の選択を決定すると(ＳＴ３０３、ＹＥＳ)、つまり、ユーザが、操作モジュール１１６又はリモートコントローラ１１７を介して、第１の設定不能な項目にカーソルが位置した状態で「決定」を押下すると（ＳＴ３０３、ＹＥＳ）、入力検出モジュール２６１ｅは、第１の設定不能な項目の決定を検出する（第１回目の第１の設定不能な項目の決定を検出する）。
【００３７】
これに対応して、制御モジュール２６１は、第１の案内（第１のメッセージ）の表示を指示し、映像処理モジュール２５４は、第１の案内を表示するための第１の案内表示情報に基づく映像を生成し、ディスプレイ１１４へ出力する。ディスプレイ１１４は、第１の案内表示情報に基づく映像（第１の案内）を表示する。制御モジュール２６１が、第１の案内（第１のメッセージ）を表示してから所定時間の経過（タイムアウト）を検出すると(ＳＴ３０４、ＹＥＳ)、第１の案内（第１のメッセージ）の消去を指示し、ディスプレイ１１４は、第１の案内表示情報に基づく映像（第１の案内）を消去する(ＳＴ３０５)。
【００３８】
また、ユーザが、第１の案内（第１のメッセージ）の表示期間中に（ＳＴ３０４、ＮＯ）、操作モジュール１１６又はリモートコントローラ１１７を介して、第１の設定不能な項目の選択を再度決定すると(ＳＴ３０７、ＹＥＳ)、つまり、ユーザが、操作モジュール１１６又はリモートコントローラ１１７を介して、第１の設定不能な項目にカーソルを合わせた状態で再度決定を指示すると、入力検出モジュール２６１ｅは、第１の設定不能な項目の再決定を検出する（第２回目の第１の設定不能な項目の決定を検出する）。
【００３９】
或いは、ユーザが、第１の案内（第１のメッセージ）の表示期間中に（ＳＴ３０４、ＮＯ）、しかも、第１回目の第１の設定不能な項目の選択を決定してから所定時間内に、操作モジュール１１６又はリモートコントローラ１１７を介して、第１の設定不能な項目の選択を再度決定すると(ＳＴ３０７、ＹＥＳ)、つまり、ユーザが、操作モジュール１１６又はリモートコントローラ１１７を介して、第１の設定不能な項目にカーソルを合わせた状態で再度決定（連続決定）を指示すると、入力検出モジュール２６１ｅは、第１の設定不能な項目の連続決定を検出する（第２回目の第１の設定不能な項目の決定を検出する）。
【００４０】
これに対応して、制御モジュール２６１は、第２の案内（第２のメッセージ）の表示を指示し、映像処理モジュール２５４は、第２の案内を表示するための第２の案内表示情報に基づく映像を生成し、ディスプレイ１１４へ出力する。ディスプレイ１１４は、第２の案内表示情報に基づく映像（第２の案内）を表示する（ＳＴ３０８）。
【００４１】
また、制御モジュール２６１が、第１の設定不能な項目の選択検出から所定時間（数秒）の経過を検出した場合にも(ＳＴ３０６、ＹＥＳ)、第２の案内（第２のメッセージ）の表示を指示し、映像処理モジュール２５４は、第２の案内を表示するための第２の案内表示情報に基づく映像を生成し、ディスプレイ１１４へ出力する。ディスプレイ１１４は、第２の案内表示情報に基づく映像（第２の案内）を表示する。
【００４２】
第１の案内は第１の詳細レベルの案内であり、第２の案内は第１の詳細レベルより詳しい第２の詳細レベルの案内である。例えば、第１の案内は、「選択項目は設定できません」であり、第２の案内は、「他の項目の設定の影響により選択項目は設定できません」である。
【００４３】
（第４の実施形態）
以下、図５を参照して、第４の実施形態について説明する。
【００４４】
例えば、ユーザが、操作モジュール１１６又はリモートコントローラ１１７を介して、設定メニューの表示を指示（「設定」を押下）すると、入力検出モジュール２６１ｅは、設定メニューの表示の指示を検出する。これに対応して、制御モジュール２６１は、設定メニューの表示（起動）を指示し、映像処理モジュール２５４は、設定メニューの表示情報に基づく映像を生成し、ディスプレイ１１４へ出力する。ディスプレイ１１４は、設定メニューの表示情報に基づく映像（設定メニュー）を表示する（ＳＴ４０１）。
【００４５】
例えば、ユーザが、操作モジュール１１６又はリモートコントローラ１１７を介して、第１の設定不能（切換不能）な項目を選択すると(ＳＴ４０２)、つまり、ユーザが、操作モジュール１１６又はリモートコントローラ１１７を介して、第１の設定不能な項目にカーソルを合わせると（ＳＴ４０２）、入力検出モジュール２６１ｅは、設定不能な項目の選択を検出する。さらに、ユーザが、操作モジュール１１６又はリモートコントローラ１１７を介して、第１の設定不能な項目にカーソルが位置した状態で「決定」を押下すると（ＳＴ４０３）、入力検出モジュール２６１ｅは、第１の設定不能な項目の決定を検出する（第１回目の第１の設定不能な項目の決定を検出する）。
【００４６】
これに対応して、制御モジュール２６１は、第１の案内（第１のメッセージ）の表示を指示し、映像処理モジュール２５４は、第１の案内を表示するための第１の案内表示情報に基づく映像を生成し、ディスプレイ１１４へ出力する。ディスプレイ１１４は、第１の案内表示情報に基づく映像（第１の案内）を表示する（ＳＴ４０４）。制御モジュール２６１が、第１の案内（第１のメッセージ）を表示してから所定時間の経過（タイムアウト）を検出すると(ＳＴ４０５、ＹＥＳ)、第１の案内（第１のメッセージ）の消去を指示し、ディスプレイ１１４は、第１の案内表示情報に基づく映像（第１の案内）を消去する(ＳＴ４０６)。
【００４７】
再び、ユーザが、操作モジュール１１６又はリモートコントローラ１１７を介して、第１の設定不能な項目の選択を再度決定すると(ＳＴ４０７、ＹＥＳ)、つまり、ユーザが、操作モジュール１１６又はリモートコントローラ１１７を介して、第１の設定不能な項目にカーソルを合わせた状態で再度決定を指示すると、入力検出モジュール２６１ｅは、第１の設定不能な項目の再決定を検出する（第２回目の第１の設定不能な項目の決定を検出する）。
【００４８】
これに対応して、制御モジュール２６１は、第２の案内（第２のメッセージ）の表示を指示し、映像処理モジュール２５４は、第２の案内を表示するための第２の案内表示情報に基づく映像を生成し、ディスプレイ１１４へ出力する。ディスプレイ１１４は、第２の案内表示情報に基づく映像（第２の案内）を表示する（ＳＴ４０８）。制御モジュール２６１が、第２の案内（第２のメッセージ）を表示してから所定時間の経過（タイムアウト）を検出すると(ＳＴ４０９、ＹＥＳ)、第２の案内（第２のメッセージ）の消去を指示し、ディスプレイ１１４は、第２の案内表示情報に基づく映像（第２の案内）を消去する(ＳＴ４１０)。
【００４９】
再び、ユーザが、操作モジュール１１６又はリモートコントローラ１１７を介して、第１の設定不能な項目の選択を再度決定すると(ＳＴ４１１、ＹＥＳ)、つまり、ユーザが、操作モジュール１１６又はリモートコントローラ１１７を介して、第１の設定不能な項目にカーソルを合わせた状態で再度決定を指示すると、入力検出モジュール２６１ｅは、第１の設定不能な項目の再決定を検出する（第３回目の第１の設定不能な項目の決定を検出する）。
【００５０】
これに対応して、制御モジュール２６１は、第３の案内（第３のメッセージ）の表示を指示し、映像処理モジュール２５４は、第３の案内を表示するための第３の案内表示情報に基づく映像を生成し、ディスプレイ１１４へ出力する。ディスプレイ１１４は、第３の案内表示情報に基づく映像（第３の案内）を表示する（ＳＴ４１２）。制御モジュール２６１が、第３の案内（第３のメッセージ）を表示してから所定時間の経過（タイムアウト）を検出すると(ＳＴ４１３、ＹＥＳ)、第２の案内（第２のメッセージ）の消去を指示し、ディスプレイ１１４は、第３の案内表示情報に基づく映像（第３の案内）を消去する(ＳＴ４１４)。
【００５１】
第１の案内は第１の詳細レベルの案内であり、第２の案内は第１の詳細レベルより詳しい第２の詳細レベルの案内であり、第３の案内は第２の詳細レベルより詳しい第３のレベルの案内である。例えば、第１の案内は、「選択項目は設定できません」であり、第２の案内は、「他の項目の設定の影響により選択項目は設定できません」であり、第３の案内は、「次の設定を変更することにより選択項目を設定することができます」である。
【００５２】
（第５の実施形態）
以下、図６を参照して、第５の実施形態について説明する。
【００５３】
例えば、ユーザが、操作モジュール１１６又はリモートコントローラ１１７を介して、設定メニューの表示を指示（「設定」を押下）すると、入力検出モジュール２６１ｅは、設定メニューの表示の指示を検出する。これに対応して、制御モジュール２６１は、設定メニューの表示（起動）を指示し、映像処理モジュール２５４は、設定メニューの表示情報に基づく映像を生成し、ディスプレイ１１４へ出力する。ディスプレイ１１４は、設定メニューの表示情報に基づく映像（設定メニュー）を表示する（ＳＴ５０１）。
【００５４】
例えば、ユーザが、操作モジュール１１６又はリモートコントローラ１１７を介して、第１の設定不能（切換不能）な項目を選択すると(ＳＴ５０２)、つまり、ユーザが、操作モジュール１１６又はリモートコントローラ１１７を介して、第１の設定不能な項目にカーソルを合わせると（ＳＴ５０２）、入力検出モジュール２６１ｅは、第１の設定不能な項目の選択を検出する。さらに、ユーザが、操作モジュール１１６又はリモートコントローラ１１７を介して、第１の設定不能な項目にカーソルが位置した状態で「決定」を押下すると（ＳＴ５０３）、入力検出モジュール２６１ｅは、第１の設定不能な項目の決定を検出する（第１回目の設定不能な項目の決定を検出する）。
【００５５】
これに対応して、制御モジュール２６１は、第１の案内（第１のメッセージ）の表示を指示し、映像処理モジュール２５４は、第１の案内を表示するための第１の案内表示情報に基づく映像を生成し、ディスプレイ１１４へ出力する。ディスプレイ１１４は、第１の案内表示情報に基づく映像（第１の案内）を表示する。例えば、第１の案内は、「操作できません」等の設定不能案内を含む。制御モジュール２６１が、第１の案内（第１のメッセージ）を表示してから所定時間の経過（タイムアウト）を検出すると(ＳＴ５０４、ＹＥＳ)、第１の案内（第１のメッセージ）の消去を指示し、ディスプレイ１１４は、第１の案内表示情報に基づく映像（第１の案内）を消去する(ＳＴ５０５)。
【００５６】
ユーザが、第１の案内の表示期間中に(ＳＴ５０４、ＮＯ)、操作モジュール１１６又はリモートコントローラ１１７を介して、第１の設定不能な項目の選択を再度決定すると(ＳＴ５０６、ＹＥＳ)、つまり、ユーザが、操作モジュール１１６又はリモートコントローラ１１７を介して、第１の設定不能な項目にカーソルを合わせた状態で再度決定を指示すると、入力検出モジュール２６１ｅは、第１の設定不能な項目の再決定を検出する（第２回目の第１の設定不能な項目の決定を検出する）。
【００５７】
或いは、ユーザが、第１の案内（第１のメッセージ）の表示期間中に（ＳＴ５０４、ＮＯ）、しかも、第１回目の第１の設定不能な項目の選択を決定してから所定時間内に、操作モジュール１１６又はリモートコントローラ１１７を介して、第１の設定不能な項目の選択を再度決定すると(ＳＴ５０６、ＹＥＳ)、つまり、ユーザが、操作モジュール１１６又はリモートコントローラ１１７を介して、第１の設定不能な項目にカーソルを合わせた状態で再度決定（連続決定）を指示すると、入力検出モジュール２６１ｅは、第１の設定不能な項目の連続決定を検出する（第２回目の第１の設定不能な項目の決定を検出する）。
【００５８】
これに対応して、制御モジュール２６１は、設定変更メニューの表示（切換可能となるメニュー設定項目への遷移）を指示し、映像処理モジュール２５４は、設定変更メニューを表示するための設定変更メニュー表示情報に基づく映像を生成し、ディスプレイ１１４へ出力する。ディスプレイ１１４は、設定変更メニュー表示情報に基づく映像（設定変更メニュー）を表示する（ＳＴ５１５）。例えば、ユーザは、設定変更メニューを介して、設定を変更することにより、上記の第１の設定不能な項目を設定可能な状態に変更することができる。
【００５９】
また、制御モジュール２６１が、第１の設定不能な項目の選択検出から所定時間（数秒）の経過を検出した場合には(ＳＴ５１４、ＹＥＳ)、制御モジュール２６１は、第２の案内（第２のメッセージ）の表示を指示し、映像処理モジュール２５４は、第２の案内を表示するための第２の案内表示情報に基づく映像を生成し、ディスプレイ１１４へ出力する。ディスプレイ１１４は、第２の案内表示情報に基づく映像（第２の案内）を表示する（ＳＴ５０７）。例えば、第２の案内は、設定不能に関する詳細説明への表示切換を案内するための情報である。
【００６０】
ユーザが、操作モジュール１１６又はリモートコントローラ１１７を介して、設定不能に関する詳細説明への表示切換を案内するための情報に基づき、設定不能に関する詳細説明への表示切換を要求すると、入力検出モジュール２６１ｅは、表示切換要求を検出する。これに対応して、制御モジュール２６１は、設定不能に関する詳細説明の表示を指示し、映像処理モジュール２５４は、設定不能に関する詳細説明を表示するための表示情報に基づく映像を生成し、ディスプレイ１１４へ出力する。ディスプレイ１１４は、設定不能に関する詳細説明を表示するための表示情報に基づく映像を表示する（ＳＴ５０８、ＹＥＳ）。例えば、設定不能に関する詳細説明は、切換不可能の理由説明への表示切換を案内するための情報を含む（ＳＴ５０９）。
【００６１】
さらに、ユーザが、操作モジュール１１６又はリモートコントローラ１１７を介して、切換不可能の理由説明への表示切換を要求すると、入力検出モジュール２６１ｅは、表示切換要求を検出する。これに対応して、制御モジュール２６１は、切換不可能の理由説明の表示を指示し、映像処理モジュール２５４は、切換不可能の理由説明を表示するための表示情報に基づく映像を生成し、ディスプレイ１１４へ出力する。ディスプレイ１１４は、切換不可能の理由説明を表示するための表示情報に基づく映像を表示する（ＳＴ５１０、ＹＥＳ）。例えば、切換不可能の理由説明は、解決方法の説明への表示切換を案内するための情報を含む(ＳＴ５１１)。
【００６２】
さらに、ユーザが、操作モジュール１１６又はリモートコントローラ１１７を介して、解決方法の説明への表示切換を要求すると、入力検出モジュール２６１ｅは、表示切換要求を検出する。これに対応して、制御モジュール２６１は、解決方法の説明の表示を指示し、映像処理モジュール２５４は、解決方法の説明を表示するための表示情報に基づく映像を生成し、ディスプレイ１１４へ出力する。ディスプレイ１１４は、解決方法の説明を表示するための表示情報に基づく映像を表示する（ＳＴ５１２、ＹＥＳ）。例えば、解決方法の説明は、切換可能手順メッセージを含む(ＳＴ５１３)。
【００６３】
なお、上記第１〜第５の実施形態では、様々な操作に応じて案内を切り換え出力（表示）するケースについて説明した。さらに、本実施形態のテレビジョン放送受信装置は、上記操作以外にも以下のような操作に応じて案内を切り換えることができる。
【００６４】
例えば、ユーザが、操作モジュール１１６又はリモートコントローラ１１７を介して、設定不能な項目を連続押下により選択（所謂長押し選択）すると、上記説明したように案内を切り換え出力（表示）する。また、設定不能な項目を連続押下により選択することにより、案内出力の遷移の順番を変更することもできる。
【００６５】
例えば、テレビジョン放送受信装置は、設定不能な項目の第１回目の選択に対応して第１の案内（例えば選択不能案内）を出力し、設定不能な項目の第２回目の選択に対応して第２の案内（例えば設定不能状況説明）を出力し、設定不能な項目の第３回目の選択に対応して第３の案内（例えば設定不能理由）を出力し、設定不能な項目の第４回目の選択に対応して第４の案内（例えば選択不能解消のための操作手順）及び設定変更メニューを出力する。
【００６６】
さらに、テレビジョン放送受信装置は、設定不能な項目の長押し選択に対応して第１の案内をスキップして第２の案内を出力する。又は、テレビジョン放送受信装置は、設定不能な項目の長押し選択に対応して第１及び第２の案内をスキップして第３の案内を出力する。又は、テレビジョン放送受信装置は、設定不能な項目の長押し選択に対応して第１、第２、及び第３の案内をスキップして第４の案内を出力する。
【００６７】
上記長押し選択により、ユーザは、第１の案内をスキップしてダイレクトに第２の案内を見たり、又は、第１及び第２の案内をスキップしてダイレクトに第３の案内を見たり、又は、第１、第２、及び第３の案内をスキップしてダイレクトに第４の案内を見たりすることができ、便利である。
【００６８】
また、リモートコントローラ１１７のクイックメニューの押下により、上記長押し選択と同様の機能を実現するようにしてもよい。
【００６９】
これまでは、ユーザは、各種メニューの中の設定不能な項目が、なぜ設定不能であるのか理解できなかった。本実施形態のテレビジョン放送受信装置は、上記第１〜第５の実施形態で説明したように、設定不能な項目が選択されると、或いは設定不能な項目が選択され決定されると、「操作できません」等の第１の案内を出力（表示）する。さらに、テレビジョン放送受信装置は、設定不能な項目が再度選択（連続選択）されると、或いは設定不能な項目が再度決定（連続決定）されると、設定不能状況説明を含む第２の案内を出力（表示）する。さらに、テレビジョン放送受信装置は、設定不能な項目が再度選択（連続選択）されると、或いは設定不能な項目が再度決定（連続決定）されると、設定不能理由を含む第３の案内を出力（表示）する。例えば、第３の案内は、第２の案内よりも詳しい設定不能情報を含むものとする。さらに、テレビジョン放送受信装置は、設定不能な項目が再度選択（連続選択）されると、或いは設定不能な項目が再度決定（連続決定）されると、選択不能解消のための操作手順を含む第４の案内を出力（表示）する。さらに、テレビジョン放送受信装置は、第４の案内に加えて設定変更メニューを出力（表示）することもできる。
【００７０】
本実施形態のテレビジョン放送受信装置は、以下のような案内を出力（表示）することができる。
【００７１】
（１）本実施形態のテレビジョン放送受信装置は、設定不能な項目の選択に対応して、設定不能メッセージを出力（表示）し、この出力中（表示中）に、同一操作を受け付けると（再度の選択操作を受け付けると）、設定不能メッセージの内容をより詳しい内容に変更する。例えば、ユーザが、設定不能状況又は設定不能の理由を把握し易いメッセージに変更する。
【００７２】
（２）本実施形態のテレビジョン放送受信装置は、設定不能な項目の選択に対応して、設定不能メッセージを出力（表示）し、この出力中（表示中）に、連続する同一操作を受け付けると、設定不能メッセージの内容をより詳しい内容に変更する。例えば、ユーザが、設定不能状況又は設定不能の理由を把握し易いメッセージに変更する。
【００７３】
（３）本実施形態のテレビジョン放送受信装置は、設定不能な項目の選択に対応して、設定不能メッセージを出力（表示）し、この出力中（表示中）に、同一操作を受け付けると、同一操作の受け付け回数に応じて、設定不能メッセージの内容を徐々に詳しい内容に変更する。
【００７４】
（４）本実施形態のテレビジョン放送受信装置は、所定時間を超えて、設定不能な項目が選択された場合、設定不能メッセージを出力（表示）する。
【００７５】
（５）本実施形態のテレビジョン放送受信装置は、設定不能な項目の選択に対応して、設定不能に関する詳細説明を見たいか否かを問い合わせる情報を表示し、設定不能に関する詳細説明の要求に応じて、設定不能に関する詳細説明を出力（表示）する。
【００７６】
（６）本実施形態のテレビジョン放送受信装置は、設定不能な項目の選択に対応して、選択不能解消のための操作手順を見たいか否かを問い合わせる情報を表示し、選択不能解消のための操作手順の要求に応じて、選択不能解消のための操作手順を出力（表示）する。
【００７７】
（７）本実施形態のテレビジョン放送受信装置は、設定不能な項目の選択に対応して、設定不能状態を設定可能にするための設定変更メニューを出力（表示）する。
【００７８】
本実施形態のテレビジョン放送受信装置によれば、以下のような作用効果を得ることができる。
【００７９】
（１）ユーザ操作に応じて（設定不能な項目の複数回選択又は連続複数回選択に応じて）、設定不能に関するメッセージの内容を変えて出力（表示）することができる。これにより、ユーザは、表示中のメニューを終了し、わざわざヘルプ機能を起動させなくても、設定不能であることの理由を知ることができ、ストレス軽減を図ることができる。
【００８０】
（２）ユーザ操作に応じて（設定不能な項目の複数回選択又は連続複数回選択に応じて）、次第に詳しい内容の設定不能に関するメッセージを出力（表示）することができる。これにより、ユーザは、表示中のメニューを終了し、わざわざヘルプ機能を起動させなくても、設定不能であることの理由を知ることができ、ストレス軽減を図ることができる。
【００８１】
（３）ユーザ操作に応じて（設定不能な項目にカーソルが位置した状態が所定時間以上継続すると）、設定不能に関するメッセージを出力（表示）することができる。ユーザは、特段の操作をしなくても、ユーザは、設定不能に関するメッセージを見ることができる。
【００８２】
（４）ユーザは、設定不能に関するメッセージを見るか否かを選択することができる。
【００８３】
（５）ユーザは、選択不能解消のための操作手順を見ることができる。
【００８４】
（６）ユーザは、設定不能状態を設定可能にするための設定変更メニューを簡単に見ることができ、この設定変更メニューを介して設定不能状態を設定可能にすることができる。
【００８５】
なお、上記したモジュールとは、ハードウェアで実現するものであっても良いし、ＣＰＵ等を使ってソフトウェアで実現するものであってもよい。
【００８６】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００８７】
１１１…テレビジョン放送受信装置、１１４…ディスプレイ、１１５…スピーカ、１１６…操作モジュール、１１８…受光モジュール、２５４…映像処理モジュール、２６１…制御モジュール
【図１】
2013012077.tif 000003
【図２】
2013012077.tif 000004
【図３】
2013012077.tif 000005
【図４】
2013012077.tif 000006
【図５】
2013012077.tif 000007
【図６】
2013012077.tif 000008